(57)【特許請求の範囲】
【請求項１】
芯材に演出用シート体がロール状に巻き取られた待機状態と、前記芯材から前記演出用シート体が繰り出されて広げられた演出状態とに変化する可動演出部材を備えた遊技機であって、
前記可動演出部材には、
前記演出用シート体の巻取方向における一端部を固定する固定ベースと、
前記演出用シート体の前記巻取方向における他端部から延設されて前記芯材に固定された樹脂シート部と、
前記待機状態では、前記芯材を前記固定ベースに近接配置し、前記待機状態から前記演出状態へ移行するときに前記芯材を巻き取り方向とは反対方向に回転させながら前記芯材を前記固定ベースから離間させる一方、前記演出状態から前記待機状態へ移行するときに前記芯材を巻き取り方向に回転させながら前記固定ベースに接近させる芯材駆動部と、が設けられ、
前記樹脂シート部は、短尺シートと、前記短尺シートとの間に前記演出用シート体の他端部を挟み且つ前記短尺シートよりも前記芯材側に長くなった長尺シートとを備え、
前記長尺シートが前記芯材に固定されていることを特徴とする遊技機。
【請求項２】
前記樹脂シート部は、前記演出用シート体の他端部を挟む１対の樹脂シートを縫い合わせて形成されたことを特徴とする請求項１に記載の遊技機。
【請求項３】
前記芯材は、円筒における周方向一部を切除してなる断面円弧状の殻部にて円形シャフトを外側から覆った構造をなし、
前記樹脂シート部は、前記円形シャフトと前記殻部との間に挟まれて固定されていることを特徴とする請求項１又は２に記載の遊技機。
【請求項４】
前記芯材駆動部は、
前記芯材を回転可能に支持する芯材支持部材と、
前記芯材支持部材を前記固定ベースに対して接離させる駆動源と、
前記芯材支持部材に対して前記芯材を前記巻き取り方向に付勢する芯材回転付勢手段と、を備えたことを特徴とする請求項１乃至３のうち何れか１の請求項に記載の遊技機。
【請求項５】
前記演出用シート体が、網体であることを特徴とする請求項１乃至４のうち何れか１の請求項に記載の遊技機。
【請求項６】
前記網体には、前記芯材の軸方向で網地を形成する糸と糸の間の間隔が狭くなって網の目の面積が小さくなった小網目部が設けられ、
前記芯材のうち前記小網目部を巻き取る部分が、前記網体のうち前記小網目部以外の部分を巻き取る部分よりも大径になっていることを特徴とする請求項５に記載の遊技機。
【発明の詳細な説明】
【技術分野】
【０００１】
本発明は、芯材に演出用シート体がロール状に巻き取られた待機状態と、芯材から演出用シート体が繰り出されて広げられた演出状態とに変化する可動演出部材を備えた遊技機に関する。
【背景技術】
【０００２】
従来の遊技機として、紙を巻き取った状態と、紙を広げた状態とに変化する巻物を模した可動演出部材を備えたものが知られている（例えば、特許文献１参照）。
【先行技術文献】
【特許文献】
【０００３】
【特許文献１】特開２０１４−４５９５３号公報（段落［００７９］）
【発明の概要】
【発明が解決しようとする課題】
【０００４】
しかしながら、上述の巻物を模した可動演出部材では、巻物の芯材への紙の固定強度が弱いという問題があった。
【０００５】
本発明は、上記事情に鑑みてなされたもので、演出用シート体の芯材への固定強度を向上させることが可能な遊技機の提供を目的とする。
【課題を解決するための手段】
【０００６】
上記目的を達成するためになされた請求項１の発明は、芯材に演出用シート体がロール状に巻き取られた待機状態と、前記芯材から前記演出用シート体が繰り出されて広げられた演出状態とに変化する可動演出部材を備えた遊技機であって、前記可動演出部材には、前記演出用シート体の巻取方向における一端部を固定する固定ベースと、前記演出用シート体の前記巻取方向における他端部から延設されて前記芯材に固定された樹脂シート部と、前記待機状態では、前記芯材を前記固定ベースに近接配置し、前記待機状態から前記演出状態へ移行するときに前記芯材を巻き取り方向とは反対方向に回転させながら前記芯材を前記固定ベースから離間させる一方、前記演出状態から前記待機状態へ移行するときに前記芯材を巻き取り方向に回転させながら前記固定ベースに接近させる芯材駆動部と、が設けられ、前記樹脂シート部は、短尺シートと、前記短尺シートとの間に前記演出用シート体の他端部を挟み且つ前記短尺シートよりも前記芯材側に長くなった長尺シートとを備え、前記長尺シートが前記芯材に固定されていることを特徴とする遊技機である。
【０００８】
請求項２の発明は、前記樹脂シート部は、前記演出用シート体の他端部を挟む１対の樹脂シートを縫い合わせて形成されたことを特徴とする請求項１に記載の遊技機である。
【０００９】
請求項３の発明は、前記芯材は、円筒における周方向一部を切除してなる断面円弧状の殻部にて円形シャフトを外側から覆った構造をなし、前記樹脂シート部は、前記円形シャフトと前記殻部との間に挟まれて固定されていることを特徴とする請求項１又は２に記載の遊技機である。
【００１０】
請求項４の発明は、前記芯材駆動部は、前記芯材を回転可能に支持する芯材支持部材と、前記芯材支持部材を前記固定ベースに対して接離させる駆動源と、前記芯材支持部材に対して前記芯材を前記巻き取り方向に付勢する芯材回転付勢手段と、を備えたことを特徴とする請求項１乃至３のうち何れか１の請求項に記載の遊技機である。
【００１１】
請求項５の発明は、前記演出用シート体が、網体であることを特徴とする請求項１乃至４のうち何れか１の請求項に記載の遊技機である。
【００１２】
請求項６の発明は、前記網体には、前記芯材の軸方向で網地を形成する糸と糸の間の間隔が狭くなって網の目の面積が小さくなった小網目部が設けられ、前記芯材のうち前記小網目部を巻き取る部分が、前記網体のうち前記小網目部以外の部分を巻き取る部分よりも大径になっていることを特徴とする請求項５に記載の遊技機である。
【発明の効果】
【００１３】
［請求項１の発明］
本発明によれば、演出用シート体が樹脂シート部を介して芯材に固定されるので、演出用シート体を直に芯材に固定する場合と比較して、演出用シート体の芯材への固定強度を向上させることが可能となる。
【００１４】
また、本発明では、樹脂シート部に、演出用シート体の他端部を挟む短尺シート及び長尺シートを備えて、長尺シートを芯材に固定したので、演出用シート体と芯材との間を連絡する樹脂シート部に必要なシートの量を少なくすることが可能となる。
【００１５】
［請求項２の発明］
本発明では、演出用シート体の他端部を挟む１対の樹脂シートを縫い合わせて樹脂シート部が形成されるので、演出用シート体と樹脂シート部との間の固定の安定化が図られる。
【００１６】
［請求項３の発明］
本発明では、樹脂シート部が円形シャフトと殻部の間に挟まれて芯材に固定されるので、樹脂シート部と芯材との間の固定の安定化が図られる。
【００１７】
［請求項４の発明］
本発明によれば、演出用シート体を巻き取るときの演出用シート体の弛みを抑制して、演出用シート体の巻き取りをスムーズに行うことが可能となる。
【００１８】
［請求項５の発明］
本発明によれば、遊技者に演出用シート体の向こう側を視認させることが可能となる。
【００１９】
［請求項６の発明］
本発明では、芯材のうち網体の小網目部を巻き取る部分が、網体における小網目部以外の部分を巻き取る部分よりも大径になっているので、糸同士の間隔が密になった小網目部の巻き残しが抑えられ、網体の巻き取りをスムーズに行うことが可能となる。
【図面の簡単な説明】
【００２０】
【図１】本発明の一実施形態に係る遊技機の正面図
【図２】遊技盤の正面図
【図３】機構枠の正面図
【図４】通常状態の可動役物装置の正面図
【図５】通常状態の可動役物装置の前方斜視図
【図６】通常状態の可動役物装置の後方斜視図
【図７】落下状態の可動役物装置の正面図
【図８】落下状態の可動役物装置の前方斜視図
【図９】樹脂シート部及び芯材の側断面図
【図１０】図９におけるＡ−Ａ断面図
【図１１】芯材及び網体の正面図
【発明を実施するための形態】
【００２１】
以下、本発明をパチンコ遊技機に適用した一実施形態を、図１〜図１１に基づいて説明する。図１に示すように、本実施形態の遊技機１０は、前面枠１０Ｚを前面に備え、その前面枠１０Ｚに形成されたガラス窓１０Ｗを通して、図２に示す遊技盤１１の前面に形成された遊技領域Ｒ１が視認可能になっている。遊技盤１１の後側には、図３に示す機構枠１７が取り付けられ、その機構枠１７には種々の装置が取り付けられている。
【００２２】
図１に示すように、前面枠１０Ｚのうちガラス窓１０Ｗより下方には、上皿２６と下皿２７が上下２段にして設けられ、下皿２７の右側には、操作ハンドル２８が備えられている。そして、操作ハンドル２８を回動操作すると、上皿２６に収容された遊技球が遊技領域Ｒ１に向けて弾き出される。
【００２３】
図２に示すように、遊技盤１１の前面からは、遊技領域Ｒ１を包囲するガイドレール１２が突出している。なお、ガイドレール１２は、遊技盤１１の外縁部を周回するように配置され、ガイドレール１２の下端部には、下方に膨むように湾曲し、流下する遊技球を受け止めて遊技領域Ｒ１の中央へと案内可能な湾曲ガイド部１２Ｇが備えられている。
【００２４】
遊技盤１１のうち遊技領域Ｒ１の中央には、表示開口１１Ｈが貫通形成されており、その表示開口１１Ｈに遊技盤１１の裏面側から表示装置１３が対向している。表示装置１３は、例えば、液晶モジュールで構成され、その前面が遊技に関する演出を行う表示画面１３Ｇとなっている。なお、詳細には、表示画面１３Ｇは、機構枠１７（図３参照）の後側から機構枠１７の開口部１７Ｋと遊技盤１１の表示開口１１Ｈを通して遊技者に視認可能となっている。
【００２５】
遊技盤１１の前面中央には、表示画面１３Ｇを囲むように表示装飾枠２３が取り付けられている。表示装飾枠２３は、遊技盤１１の前面側から表示開口１１Ｈに嵌め込まれて、表示開口１１Ｈの内側に張り出すと共に、遊技盤１１の前面から突出している。そして、遊技領域Ｒ１を流下する遊技球が、表示装飾枠２３の前側を通過して表示装飾枠２３の内側に進入しないように構成されている。
【００２６】
表示装飾枠２３の右側には、始動ゲート１８が設けられている。また、表示装飾枠２３の右下には、大入賞口１５と複数のサイド入賞口２１が設けられている。なお、複数のサイド入賞口２１は、始動ゲート１８の下方且つ大入賞口１５の右側に配置されている。
【００２７】
表示装飾枠２３の横方向中央の下方には、第１の始動入賞口１４Ａと第２の始動入賞口１４Ｂとが上下２段に並べて配置され、それら始動入賞口１４Ａ，１４Ｂの左側には、ガイドレール１２の湾曲ガイド部１２Ｇに沿って一般入賞口２０が複数設けられている。
【００２８】
遊技領域Ｒ１には、各入賞口１４Ａ，１４Ｂ，１５，２０，２１とは別に、特典（賞球）を付与することなく遊技領域Ｒ１の外側に排出するためのアウト口１６が設けられている。また、遊技領域Ｒ１には、遊技球の流下方向をランダムに変更するための障害釘が多数植設されている。なお、本実施形態では、アウト口１６として、遊技領域Ｒ１の下端部中央に配置された中央アウト口１６Ａと、左側一般入賞口２０の左側に配置されたサイドアウト口１６Ｂの２種類が設けられている。
【００２９】
次に、遊技領域Ｒ１の各部位についてさらに詳説する。一般入賞口２０及びサイド入賞口２１は、所謂、ポケット構造をなし、遊技球が１つずつ入ることが可能な大きさで上方に開口している。一般入賞口２０又はサイド入賞口２１へ入球（入賞）すると、その遊技球は遊技盤１１の裏側に取り込まれ、例えば、１個の入球につき１０個の賞球が上皿２６に払い出される。
【００３０】
始動ゲート１８は、遊技球が潜って通過可能な門形構造をなしている。始動ゲート１８を遊技球が通過すると、普通図柄の当否判定が行われる。
【００３１】
第１の始動入賞口１４Ａは、ポケット構造をなして遊技球が１つずつ入球可能な大きさで上方に開口している。第２の始動入賞口１４Ｂは、遊技球が１つずつ入球可能な大きさで前方に開口し、回動扉１４Ｔによって開閉される。回動扉１４Ｔは、通常は、閉状態となっていて、上述した普通図柄の当否判定が当りになると、開状態となる。第１と第２の始動入賞口１４Ａ，１４Ｂに遊技球が入球（入賞）すると、例えば、１個の入球につき４個の賞球が上皿２６に払い出されると共に、特別図柄の当否判定が行われる。そして、特別図柄の当否判定が当りになると、通常の遊技状態から大当り遊技状態へ移行し、大当り遊技が実行される。
【００３２】
大入賞口１５は、横長矩形状をなし、通常の遊技状態では、可動扉１５Ｔにて閉塞されている。そして、遊技状態が大当たり遊技状態となって大当り遊技が実行されると、可動扉１５Ｔが所定期間に亘って前側に倒される。すると、大入賞口１５が前方に開放し、可動扉１５Ｔを案内にして大入賞口１５に多くの遊技球が入賞可能となる。大入賞口１５に遊技球が入賞すると、例えば、１個の入賞につき１５個の遊技球が上皿２６に払い出される。
【００３３】
なお、各入賞口１４Ａ，１４Ｂ，１５，２０，２１及びアウト口１６に取り込まれた遊技球は、球排出ダクト８０（図３参照）を介して遊技機１０の外部に排出され、図示しない球回収装置に回収される。
【００３４】
ところで、図３に示すように、本実施形態の遊技機１０は、可動演出部材１１０の動作により遊技に関する演出を行う可動役物装置１１０Ｓを機構枠１７に固定して備えている。可動演出部材１１０は、表示画面１３Ｇの上部前方に寄せて配置される通常状態（図４参照）と、表示画面１３Ｇの全体を前側から覆うように配置される落下状態（図７参照）とに変化する。以下、可動役物装置１１０Ｓについて詳説する。
【００３５】
図４に示すように、可動役物装置１１０Ｓは、上下方向に直線状に延びた１対の昇降ガイド１３２，１３２を間隔をあけて横並びにして備え、それら１対の昇降ガイド部材１３２，１３２の間に可動演出部材１１０を差し渡した構造になっている。なお、１対の昇降ガイド部材１３２，１３２は、表示画面１３Ｇを左右方向に挟むように機構枠１７（図３参照）の左右の辺部に固定され、遊技盤１１及び表示装飾枠２３（図２参照）の後側に隠れるように配置されている。
【００３６】
図４及び図５に示すように、１対の昇降ガイド部材１３２，１３２のうち一方の昇降ガイド部材１３２には、可動演出部材１１０を上下動させるための昇降機構１３０が備えられている。本実施形態の例では、昇降機構１３０は、ボール螺子機構によって構成されていて、昇降ガイド部材１３２内で上下方向に延在するボール螺子１３３と、ボール螺子１３３と螺合した図示しないボールナットと、ボール螺子１３３を回転駆動する昇降用モータ１３４と、を備えている。
【００３７】
なお、詳細には、図６に示すように、昇降ガイド部材１３２には、第１可動部材１１０が通常状態のときに、第１可動部材１１０の下方への移動を許容する落下許容位置と、可動演出部材１１０の下方への移動を禁止する落下禁止位置と、に配置される落下用ストッパ１３９が備えられていて、落下用ストッパ１３９が落下禁止位置に配置されているときには、上述のボールナットがボール螺子１３３の下端寄り位置に配置される。そして、落下用ストッパ１３９が落下許容位置に配置されることにより、第１可動部材１１０が自重により落下する。
【００３８】
図６及び図７に示すように、可動演出部材１１０は、前後方向にずれて配置された前側落下部材１１１と後側落下部材１２１とがシート状の網体１４１（本発明の「演出用シート体に相当する。）を介して連絡された構造になっていて、通常状態では、前側落下部材１１１と後側落下部材１２１とは、前後に重ねられて、表示画面１３Ｇの上部前方に配置されている。
【００３９】
図６及び図８に示すように、前側落下部材１１１は、上方から見た形状が後側に開放したコの字状のフレーム部１１２と、フレーム部１１２の前面に固定された装飾プレート１１３と、を備え、フレーム部１１２のうち左右方向で対向する１対の支持対向壁１１２Ｔ，１１２Ｔ（図６及び図８には、一方の支持対向壁１１２Ｔのみが示されている。）が、昇降ガイド部材１３２，１３２に上下動可能に支持されている。１対の支持対向壁１１２Ｔ，１１２Ｔのうち一方の支持対向壁１１２Ｔには、昇降ガイド１３２に取り付けられた前側スライドレール１３５（図４参照）を上下動するスライダ１３６が固定されていて、そのスライダ１３６が、上述したボール螺子１３３（図５参照）に螺合する図示しないボールナットによって下方から受け止められている。
【００４０】
図６に示すように、後側落下部材１２１は、前後方向で対向した前面壁１２１Ａ及び後面壁１２１Ｂの上端部同士が天井壁１２１Ｃで連絡された構造になっていて、前面壁１２１Ａと後面壁１２１Ｂの側部が１対の昇降ガイド部材１３２，１３２に上下動可能に支持されている。詳細には、前面壁１２１Ａは後面壁１２１Ｂよりも横長に形成されていて、後面壁１２１Ｂは、前面壁１２１Ａの横方向の一端部（図６では左側の端部）に重ねて配置されている。そして、後面壁１２１Ｂの横方向の一端部と前面壁１２１Ａの横方向の他端部とがそれぞれ、昇降ガイド部材１３２，１３２に上下動可能に支持されている。
【００４１】
後側落下部材１２１は、昇降ガイド部材１３２に対し上下動自在に構成されていて、通常は、前側落下部材１１１により落下が防止されている。具体的には、図８に示すように、前側落下部材１１１の支持対向壁１１２Ｔの上端部には、後側落下部材１２１の前面壁１２１Ａに下方から当接可能な当接部１１５が設けられていて、前側落下部材１１１の当接部１１５が後側落下部材１２１の前面壁１２１Ａを下方から受け止めることで、後側落下部材１２１の落下が防止されている。
【００４２】
また、後側落下部材１２１は、前側落下部材１１１が下方へ移動したときに、昇降ガイド部材１３２に備えられた受止ストッパ１３７（図６参照）によって落下が防止される。具体的には、後側落下部材１２１の後壁１２１Ｂの側部は、昇降ガイド部材１３２に後側から重ねられ、昇降ガイド部材１３２の後面に形成された後側スライドレール１３８に支持されている。受止ストッパ１３７は、昇降ガイド部材１３２の後面から突出し、後側落下部材１２１の後壁１２１Ｂに下方から当接する。
【００４３】
このように、本実施形態では、後側落下部材１２１の可動ストロークは、前側落下部材１１１の可動ストロークよりも小さくなっている。ここで、前側落下部材１１１の可動ストロークの上端及び下端を「前側上端位置」及び「前側下端位置」と称し、後側落下部材１２１の可動ストロークの上端及び下端を「後側上端位置」及び「後側下端位置」と称することにすると、可動演出部材１１０は、前側落下部材１１１が前側上端位置に配置され且つ後側落下部材１２１が後側上端位置に配置されたときに通常状態（図４参照）となり、前側落下部材１１１が前側下端位置に配置され且つ後側落下部材１２１が後側下端位置に配置されたときに落下状態（図７参照）となる。
【００４４】
図１１に示すように、網体１４１は、複数の糸１４２を格子状に張り巡らせて網地が構成された構造になっていて、四角形状の空洞部である網の目１４３を有している。また、図６及び図９に示すように、網体１４１は、前側落下部材１１１の後面側で前側落下部材１１１に取り付けられた芯材１５０にロール状に巻き取られる。芯材１５０は、前側落下部材１１１における１対の支持対向壁１１２Ｔ，１１２Ｔの間に回転可能に支持されている。なお、図６では、網体１４１が省略して示されている。
【００４５】
網体１４１の巻き取り方向における芯材１５０と反対側の端部は、後側落下部材１２１に固定されている。そして、網体１４１は、前側落下部材１１１が下方へ移動して後側落下部材１２１から分離したときに、芯材１５０から繰り出されて、表示画面１３Ｇの前方を覆うように広げられる。ここで、本実施形態では、図９及び図１０に示すように、芯材１５０の内部に、芯材１５０を巻き取り方向へ回転付勢する回転付勢バネ１５８が備えられていて、前側落下部材１１１が上方へ移動すると、芯材１５０が網体１４１を自動的に巻き取るようになっている。なお、本実施形態では、網体１４１は、天井壁１２１Ｃの上面に固定されて前面壁１２１Ａを前側から覆っている。
【００４６】
次に、可動役物装置１１０Ｓの動作について説明する。可動役物装置１１０Ｓは、常には、可動演出部材１１０を通常状態に保持し、所定の落下演出条件が成立すると、後側落下部材１２１と前側落下部材１１１を落下させる。具体的には、落下演出条件が成立すると、落下用ストッパ１３９（図６参照）が落下許容位置へ移動し、後側落下部材１２１及び前側落下部材１１１が昇降ガイド部材１３２に沿って一体に下降する。後側落下部材１２１は、下降の途中で昇降ガイド部材１３２に備えられた受止ストッパ１３７にて下方から受け止められ、後側下端位置に位置決めされる。後側落下部材１２１が後側下端位置に位置決めされると、前側落下部材１１１が後側落下部材１２１から分離して下降し、後側落下部材１２１と前側落下部材１１１との間の間隔が広がっていく。
【００４７】
前側落下部材１１１が後側落下部材１２１から分離して下降すると、芯材１５０に巻き取られていた網体１４１が芯材１５０から繰り出されて、後側落下部材１２１と前側落下部材１１１との間に広げられる。そして、前側落下部材１１１が前側下端位置に配置されると、可動演出部材１１０が落下状態（図７参照）となる。
【００４８】
可動演出部材１１０が落下状態となった後、所定の落下演出終了条件が成立すると、可動役物装置１１０Ｓは、昇降用モータ１３４を駆動して前側落下部材１１１を上昇させる。前側落下部材１１１は上昇の途中で後側落下部材１２１を押し上げて後側落下部材１２１と一体に移動し、前側落下部材１１１と後側落下部材１２１とが前側上端位置と後側上端位置とに配置されると、可動演出部材１１０が通常状態（図４参照）へと戻る。このとき、網体１４１は、回転付勢バネ１５８の付勢力によって芯材１５０に巻き取られる。第１可動部材１１０が通常状態になると、落下用ストッパ１３９が落下禁止位置に配置され、昇降用モータ１３４がボールナット（図示せず）をボール螺子１３３の下端寄り位置まで下降させる。可動役物装置１１０Ｓの動作に関する説明は以上である。
【００４９】
ここで、網体１４１は、上述の如く、複数の糸１４２が間隔をあけて配置された構成になっているので、網体１４１を直に芯材１５０に固定すると、網体１４１のうち糸１４２が配置されている部分のみが芯材１５０に固定されることとなり、網体１４１を芯材１５０に安定的に固定することが困難となる。この問題を解決すべく、本実施形態の遊技機１０では、以下に説明するように、網体１４１と芯材１５０との間の固定に工夫が施されている。
【００５０】
即ち、図９に示すように、網体１４１のうち巻き取り方向における芯材１５０側の端部からは樹脂シート部１７０が延設され、この樹脂シート部１７０が芯材１５０に固定されている。樹脂シート部１７０は、網体１４１と略等幅をなして巻き取り方向の長さが異なった長尺シート１７１と短尺シート１７２とで網体１４１を厚さ方向に挟んでなる。詳細には、樹脂シート部１７０は、網体１４１の厚さ方向の一方側に１枚の長尺シート１７１と１枚の短尺シート１７２とを備えると共に、他方側に１枚の短尺シート１７２を備えている。そして、それら１枚の長尺シート１７１と２枚の短尺シート１７２とが網体１４１と共に縫合糸１７３で縫い付けられることで、樹脂シート部１７０が網体１４１に固定されている。
【００５１】
短尺シート１７２は、網体１４１における芯材１５０側の端縁部に重ねられる。また、長尺シート１７１は、網体１４１の芯材１５０側の端縁部から芯材１５０側へ延びて芯材１５０に固定されている。長尺シート１７１と芯材１５０との固定態様は以下のようになっている。即ち、芯材１５０は、円形シャフト１５１の外周面を半円筒状の殻部１５４で覆った構造になっていて、長尺シート１７１は、円形シャフト１５１と殻部１５４との間に挟まれて固定されている。
【００５２】
具体的には、図１０に示すように、円形シャフト１５１は、軸方向全体に亘って等径なシャフトコア１５２と、シャフトコア１５２を外側から覆う筒状ケース１５３と、で構成され、筒状ケース１５３には、軸方向の一端側（図１０の右側）を段付き状に拡径する段差部１５３Ｄが設けられている。筒状ケース１５３のうち段差部１５３Ｄより他端側の小径筒部１５３Ａの内径とシャフトコア１５２の外形とが略同一となっている。そして、筒状ケース１５３のうち段差部１５３Ｄより一端側の大径筒部１５３Ｂとシャフトコア１５２との間に形成された環状の隙間に、上述した回転付勢バネ１５８が収容されている
【００５３】
また、殻部１５４は、図１０に示すように、筒状ケース１５３の小径筒部１５３Ａを外側から覆う小径殻部１５４Ａと、大径筒部１５３Ｂを外側から覆う大径殻部１５４Ｂと、で構成されていて、小径筒部１５３Ａ及び大径筒部１５３Ｂと、小径殻部１５４Ａ及び大径殻部１５４Ｂとの間に、樹脂シート部１７０（詳細には、長尺シート１７１）が挟まれている。
【００５４】
なお、詳細には、小径殻部１５４Ａは、小径筒部１５３Ａよりも他端側（図１０の左側）に短くなっていて、小径殻部１５４Ａの一端部は段付き状に拡径されている。他方、大径殻部１５４Ｂは、大径筒部１５３Ｂよりも他端側（図１０の左側）に長くなっていて、大径殻部１５４Ｂの他端部は段付き状に縮径されている。そして、小径殻部１５４Ａの拡径部分の内側に大径殻部１５４Ｂの縮径部分が収まることで、殻部１５４に筒状ケース１５３と同様の段差が形成され、芯材１５０に小径部１５０Ａと大径部１５０Ｂとが形成されている。
【００５５】
ところで、本実施形態では、図１１に示すように、網体１４１の幅方向の一方側（図１１の右側）では、幅方向で隣り合う糸１４２，１４２同士の間隔が狭くなっていて、網体１４１の幅方向一方側に備えられた網の目１４３の面積は、網体１４１の幅方向他方側に備えられた網の目１４３の面積よりも小さくなっている。即ち、網体１４１の幅方向における一方側部分には、網の目１４３の面積が比較的小さい小網目部１４１Ｂが形成され、他方側部分には、網の目１４３の面積が比較的大きい大網目部１４１Ａが形成されている。
【００５６】
ここで、網体１４１の小網目部１４１Ｂでは、大網目部１４１Ａに比べて単位面積当たりの糸１４２の本数が多くなるため、網体１４１を巻き取るときに絡まり易くなっている。従って、本実施形態では、網体１４１を巻き取る際に小網目部１４１Ｂで弛みが生じ難くするため、網体１４１の小網目部１４１Ｂが芯材１５０の大径部１５０Ｂに巻き取られ、大網目部１４１Ａが芯材１５０の小径部１５０Ａに巻き取られるように、網体１４１と芯材１５０が配置されている。
【００５７】
以上が、可動役物装置１１０Ｓに関する説明である。なお、本実施形態では、可動演出部材１１０が本発明の「可動演出部材」に相当し、後側落下部材１２１が「固定ベース」に相当する。また、前側落下部材１１１、昇降用モータ１３４及び回転付勢バネ１５８がそれぞれ、本発明の「芯材支持部材」、「駆動源」及び「芯材回転付勢手段」に相当し、前側落下部材１１１、昇降機構１３０及び回転付勢バネ１５８によって本発明の「芯材回転付勢手段」が構成されている。
【００５８】
次に、本実施形態の遊技機１０の作用効果について説明する。本実施形態の遊技機１０では、可動演出部材１１０は、通常は、図４に示す通常状態に保持されていて、所定の落下演出条件が成立すると、図７に示す落下状態へと変化する。具体的には、落下演出条件が成立すると、可動演出部材１１０を構成する前側落下部材１１１と後側落下部材１２１とが一体になって下降し、後側落下部材１２１が後側下端位置に配置されると、前側落下部材１１１が後側落下部材１２１から分離して前側下端位置まで下降し、可動演出部材１１０が落下状態となる。前側落下部材１１１が後側落下部材１２１から分離すると、芯材１５０に巻き取られていた網体１４１が両落下部材１１１，１２１の間に繰り広げられる。
【００５９】
可動演出部材１１０が落下状態となった後、所定の落下演出終了条件が成立すると、前側落下部材１１１が上昇し、その上昇の途中で後側落下部材１２１を押し上げる。そして、前側落下部材１２１と後側落下部材１１１とが前側上端位置と後側上端位置とに配置されて、可動演出部材１１０が通常状態へと戻る。前側落下部材１１１が上昇すると、網体１４１は、回転付勢バネ１５８の付勢力によって芯材１５０に巻き取られる。
【００６０】
ここで、本実施形態の遊技機１０によれば、網体１４１が樹脂シート部１７０を介して芯材１５０に固定されているので、網体１４１を直に芯材１５０に固定する場合と比較して、網体１４１の芯材１５０への固定強度を向上させることが可能となる。しかも、樹脂シート部１７０は、長尺シート１７１と短尺シート１７２とを縫い合わせて形成されているので、網体１４１と樹脂シート部１７０との間の固定の安定化が図られる。さらに、樹脂シート部１７０は、芯材１５０を構成する円形シャフト１５１と殻部１５４の間に挟まれることで芯材１５０に固定されるので、樹脂シート部１７０と芯材１５０との間の固定の安定化が図られる。
【００６１】
また、本実施形態では、芯材を巻き取り方向に回転付勢する回転付勢バネ１５８を備えたので、網体１４１を巻き取るときの網体１４１の弛みを抑制して、網体の巻き取りをスムーズに行うことが可能となる。さらに、本実施形態では、芯材１５０のうち網体１４１の小網目部１４１Ｂを巻き取る部分が、大網目部１４１Ａを巻き取る部分よりも大径になっているので、糸１４２同士の間隔が密になった小網目部１４１Ｂの巻き残しが抑えられ、網体１４１の巻き取りをスムーズに行うことが可能となる。
【００６２】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００６３】
（１）上記実施形態では、本発明をパチンコ遊技機に適用した例を示したが、アレンジボールやスロットマシンに適用してもよい。
【００６４】
（２）上記実施形態では、水平方向に延びた芯材１５０を上下方向に移動させて網体１４１を巻き取ったり繰り出したりする構成であったが、鉛直方向に延びた芯材１５０を水平方向に移動させて網体１４１を巻き取ったり繰り出したりする構成としてもよい。
【００６５】
（３）上記実施形態では、樹脂シート部１７０を構成する樹脂シートが、１枚の長尺シート１７１と２枚の短尺シート１７２であったが、１枚の長尺シート１７１と１枚の短尺シート１７２であってもよいし、複数枚の長尺シート１７１と複数枚の短尺シート１７２であってもよい。
【００６６】
（４）上記実施形態では、樹脂シート部１７０に、網体１４１を長尺シート１７１と短尺シート１７２で挟んで、長尺シート１７１を芯材１５０に固定した構成であったが、網体１４１を１対の長尺シート１７１で挟んで、それら１対の長尺シート１７１を芯材１５０に固定した構成としてもよい。なお、上記実施形態によれば、樹脂シート部１７０に必要なシートの量を少なくすることが可能となる。
【００６７】
（５）上記実施形態において、樹脂シート部１７０を、網体１４１を厚さ方向で挟む複数の樹脂シート（長尺シート１７１と短尺シート１７２）を接着又は溶着した構成としてもよい。
【００６８】
（６）上記実施形態では、本発明に係る「演出用シート体」が、網体であったが、芯材への巻き取りと芯材からの繰り出しができるものであれば網体以外であってもよく、例えば、布、紙、薄膜フィルム等であってもよいし、本発明の「固定ベース」と「樹脂シート部」とを繋ぐ糸や紐が複数設けられて全体がシート状になったものであってもよい。
【符号の説明】
【００６９】
１０    遊技機
１１０    可動演出部材
１１１    前側落下部材（芯材支持部材）
１２１    後側落下部材（固定ベース）
１３０    昇降機構
１３５    昇降用モータ（駆動源）
１４１    網体（演出用シート体）
１４１Ａ    大網目部
１４１Ｂ    小網目部
１５０    芯材
１５０Ａ    小径部
１５０Ｂ    大径部
１５１    円形シャフト
１５４    殻部
１５８    回転付勢バネ（芯材回転付勢手段）
１７０    樹脂シート部
１７１    長尺シート
１７２    短尺シート
【要約】      （修正有）【課題】演出用シート体の芯材への固定強度を向上させることが可能な遊技機を提供する。【解決手段】遊技機は、芯材１５０に網体１４１がロール状に巻き取られた待機状態と、芯材１５０から網体１４１が繰り出されて広げられた演出状態とに変化する可動演出部材を備えている。この可動演出部材は、網体１４１の巻取方向の一端部を固定する後側落下部材と、網体１４１の巻取方向側の端部から延設されて芯材１５０に固定された樹脂シート部１７０と、を備え、待機状態から演出状態へ移行するときには、芯材１５０を巻取方向とは反対方向に回転させながら芯材１５０を後側落下部材から離間させる一方、演出状態から待機状態へ移行するときには、芯材１５０を巻取方向に回転させながら後側落下部材に接近させる。【選択図】図９【図１】
0006043913.tif 000002
【図２】
0006043913.tif 000003
【図３】
0006043913.tif 000004
【図４】
0006043913.tif 000005
【図５】
0006043913.tif 000006
【図６】
0006043913.tif 000007
【図７】
0006043913.tif 000008
【図８】
0006043913.tif 000009
【図９】
0006043913.tif 000010
【図１０】
0006043913.tif 000011
【図１１】
0006043913.tif 000012